(57)【要約】【課題】  コンミュテータ片とリングバリスタとを簡単に接続することができるモータを提供する。【解決手段】  複数のコンミュテータ片１９を絶縁樹脂製で円筒状の支持部材１７の周方向に配置したコンミュテータ１８を有し、各コンミュテータ片１９の一端部１９ａに設けたコンミュテータライザ１９ｂにアーマチュアコイル１５ｃの端部１５ｄを電気的に接続すると共に、該各コンミュテータ片１９の他端部１９ｃにリングバリスタ２０を電気的に接続したモータ１０において、各コンミュテータ片１９の他端部１９ｃより円筒状の支持部材１７の他端部１７ｃを外側に突出形成し、この支持部材１７の他端部１７ｃにリングバリスタ２０を嵌合すると共に、支持部材１７の他端部１７ｃの一部を半径方向外方に加締め変形させて加締め部１７ｅを形成した。【選択図】      図１
2006174673.tif 000002
【特許請求の範囲】
【請求項１】
複数のコンミュテータ片を絶縁樹脂製で円筒状の支持部材の周方向に配置したコンミュテータを有し、前記各コンミュテータ片の一端部に設けたコンミュテータライザにアーマチュアコイルの端部を電気的に接続すると共に、該各コンミュテータ片の他端部にリングバリスタを電気的に接続したモータにおいて、
前記各コンミュテータ片の他端部より前記円筒状の支持部材の一方の端部を外側に突出形成し、この円筒状の支持部材の一方の端部に前記リングバリスタを嵌合すると共に、該支持部材の一方の端部の少なくとも一部を半径方向外方に加締め変形させて加締め部を形成し、この加締め部と前記各コンミュテータ片の他端部とで前記リングバリスタを把持して固定したことを特徴とするモータ。
【請求項２】
請求項１記載のモータであって、
前記各コンミュテータ片の一端部に、一体に前記コンミュテータライザをフック状に折り曲げ形成すると共に、該各コンミュテータ片の他端部に、それぞれ前記リングバリスタの電極接続用の一対の電極接続面を形成したことを特徴とするモータ。
【発明の詳細な説明】
【技術分野】
【０００１】
本発明は、電気ノイズを吸収するリングバリスタ（電圧非直線性抵抗体）を備えたモータに関する。
【背景技術】
【０００２】
この種のモータのロータユニットとして、図８〜図１０に示すものがある（例えば、特許文献１参照）。このモータのロータユニットは、図８に示すように、回転軸１に円筒状の支持部材２を介して取り付けられたコンミュテータ３を有している。このコンミュテータ３は、図８〜図１０に示すように、円筒状の支持部材２の外周面に周方向に隣接するように固定された複数のコンミュテータ片４から構成されている。
【０００３】
各コンミュテータ片４の下部には、一方のコンミュテータライザ５をフック状に折り曲げ形成してある。また、各コンミュテータ片４の上部には、他方のコンミュテータライザ６を回転軸１の軸方向に対して略直角になるように折り曲げ形成してある。そして、一方のコンミュテータライザ５には、コイル７のリード線７ａをヒュージングにより接続してある。また、他方のコンミュテータライザ６には、リングバリスタ８を半田付けにより接合してある。この半田付け部分を符号９で示す。
【０００４】
【特許文献１】特開２００４−４０８５５号公報（第５頁〜第６頁、図５〜図７）
【発明の開示】
【発明が解決しようとする課題】
【０００５】
しかしながら、前記従来のモータのコンミュテータ３では、各コンミュテータ片４の折り曲げられた他方のコンミュテータライザ６とリングバリスタ８とを半田付けにより固定する必要があり、組付作業性が悪く、煩雑となっていた。
【０００６】
そこで、本発明は、前記した課題を解決すべくなされたものであり、コンミュテータ片とリングバリスタとを簡単に接続することができるモータを提供することを目的とする。
【課題を解決するための手段】
【０００７】
請求項１の発明は、複数のコンミュテータ片を絶縁樹脂製で円筒状の支持部材の周方向に配置したコンミュテータを有し、前記各コンミュテータ片の一端部に設けたコンミュテータライザにアーマチュアコイルの端部を電気的に接続すると共に、該各コンミュテータ片の他端部にリングバリスタを電気的に接続したモータにおいて、前記各コンミュテータ片の他端部より前記円筒状の支持部材の一方の端部を外側に突出形成し、この円筒状の支持部材の一方の端部に前記リングバリスタを嵌合すると共に、該支持部材の一方の端部の少なくとも一部を半径方向外方（リングバリスタ側）に加締め変形させて加締め部を形成し、この加締め部と前記各コンミュテータ片の他端部とで前記リングバリスタを把持して固定したことを特徴とする。
【０００８】
請求項２の発明は、請求項１記載のモータであって、前記各コンミュテータ片の一端部に、一体に前記コンミュテータライザをフック状に折り曲げ形成すると共に、該各コンミュテータ片の他端部に、それぞれ前記リングバリスタの電極接続用の一対の電極接続面を形成したことを特徴とする。
【発明の効果】
【０００９】
以上説明したように、請求項１の発明によれば、各コンミュテータ片の他端部より円筒状の支持部材の一方の端部を外側に突出形成し、この円筒状の支持部材の一方の端部にリングバリスタを嵌合すると共に、該支持部材の一方の端部の少なくとも一部を半径方向外方に加締め変形させて加締め部を形成し、この加締め部と各コンミュテータ片の他端部とでリングバリスタを把持することにより、該リングバリスタを簡単に固定することができる。
【００１０】
請求項２の発明によれば、各コンミュテータ片の一端部に、一体にコンミュテータライザをフック状に折り曲げ形成すると共に、該各コンミュテータ片の他端部に、それぞれリングバリスタの電極接続用の一対の電極接続面を形成したことにより、各コンミュテータ片の一端部のフック状のコンミュテータライザにアーマチュアコイルの端部を電気的に接続することができると共に、支持部材の一方の端部の少なくとも一部を半径方向外方に加締め変形させる簡単な作業により、各コンミュテータ片の他端部の一対の電極接続面にリングバリスタの各電極を簡単かつ確実に電気的に接続することができる。
【発明を実施するための最良の形態】
【００１１】
以下、本発明の一実施形態を図面に基づいて説明する。
【００１２】
図１は本発明の一実施形態のモータを一部断面で示す側面図、図２（ａ）は同モータに用いられるコンミュテータ及び支持部材の断面図、図２（ｂ）は同コンミュテータ及び支持部材の正面図、図３は同支持部材の一方の端部にリングバリスタを嵌合する前の状態を示す断面図、図４は同支持部材の一方の端部にリングバリスタを嵌合した状態を示す断面図、図５は同支持部材の一方の端部を加締めてリングバリスタを固定する前の状態を示す断面図、図６は同支持部材の一方の端部を加締める途中の状態を示す断面図、図７（ａ）は同支持部材の一方の端部を加締めてリングバリスタを固定した状態を示す断面図、図７（ｂ）は同リングバリスタの固定状態を示す正面図である。
【００１３】
図１に示すように、モータ１０は、金属製で有底円筒状のヨーク１１と、このヨーク１１の開口部１１ａ内に嵌合されて該開口部１１ａを閉塞する合成樹脂製の蓋体１２とを備えている。ヨーク１１の内周面１１ｂには一対のマグネット１３，１３を接着剤等を介して固着してある。そして、ヨーク１１の底部１１ｃに取り付けられた軸受１４と蓋体１２の中央に形成された軸受部１２ａには、アーマチュア軸１６の両端部を回転自在に支持してある。
【００１４】
アーマチュア軸１６の一対のマグネット１３，１３に対向する位置には、アーマチュア１５を取り付けてある。このアーマチュア１５は、アーマチュア軸１６に固定され、所定のスロット数のコイル巻回部１５ｂを持つアーマチュアコア１５ａと、このアーマチュアコア１５ａのコイル巻回部１５ｂに巻き回されたアーマチュアコイル１５ｃとで構成されている。
【００１５】
また、アーマチュア軸１６には絶縁樹脂製で円筒状の支持部材１７を介してコンミュテータ１８を一体的に固定してある。このコンミュテータ１８はアーマチュアコア１５ａのコイル巻回部１５ｂと同数の複数のコンミュテータ片１９を備えている。この各コンミュテータ片１９の一端部１９ａにはコンミュテータライザ１９ｂをＵ字のフック状に折り曲げ形成してあり、このコンミュテータライザ１９ｂとアーマチュアコイル１５ｃの端部１５ｄとはヒュージングにより電気的に接続されている。また、各コンミュテータ片１９の他端部１９ｃの端面には、後述するリングバリスタ２０の各電極接続用の一対の電極接続面１９ｄ，１９ｄを形成してある。この一対の電極接続面１９ｄ，１９ｄにはリングバリスタ２０の各電極２１をそれぞれ電気的に接続してある。
【００１６】
即ち、図２（ａ），（ｂ）に示すように、複数のコンミュテータ片１９は絶縁樹脂製で円筒状の支持部材１７の外周面１７ａの周方向に隣接するようにインサート成形等により一体的に形成してある。また、円筒状の支持部材１７の両端部１７ｂ，１７ｃは、各コンミュテータ片１９の両端部１９ａ，１９ｃより外側に突出形成されている。そして、図３及び図４に示すように、円筒状の支持部材１７の他端部（一方の端部）１７ｃには円環板状のリングバリスタ２０が嵌合され、この嵌合後に、図５及び図６に示すように、円筒状の支持部材１７の他端部１７ｃの一部（各コンミュテータ片１９の他端部１９ｃの中央に対向する位置）をリングバリスタ２０側に加締め治具３０等を用いて半径方向外方に加締め変形させることにより、該円筒状の支持部材１７の他端部１７ｃの端面１７ｄの一部に加締め部１７ｅを等間隔毎に複数（本実施形態の場合は３箇所）形成するようにしている。
【００１７】
尚、コンミュテータ１８には図示しないブラシが接触するようになっている。
【００１８】
以上実施形態のモータ１０によれば、図３及び図４に示すように、コンミュテータ１８を構成する複数のコンミュテータ片１９の他端部１９ｃより絶縁樹脂製で円筒状の支持部材１７の他端部１７ｃを外側に突出形成させ、この円筒状の支持部材１７の他端部１７ｃにリングバリスタ２０を嵌合させ、この嵌合後、支持部材１７の他端部１７ｃの端面１７ｄの一部を該リングバリスタ２０側に加締め治具３０を介して半径方向外方に加締め変形させて複数の加締め部１７ｅを切り起こし形成したことにより、各コンミュテータ片１９の他端部１９ｃと支持部材１７の各加締め部１７ｅと間でリングバリスタ２０を把持して簡単に固定することができる。
【００１９】
特に、各コンミュテータ片１９の一端部１９ａに、一体にコンミュテータライザ１９ｂをフック状に折り曲げ形成したことにより、各コンミュテータ片１９の一端部１９ａのフック状のコンミュテータライザ１９ｂにアーマチュア１５のアーマチュアコイル１５ｃの端部１５ｄをヒュージングにより電気的に接続することができる。また、各コンミュテータ片１９の他端部１９ｃの端面にリングバリスタ２０の各電極接続用の一対の電極接続面１９ｄ，１９ｄを形成したことにより、従来のように、半田付けすることなく、円筒状の支持部材１７の他端部１７ｃの端面１７ｄの一部を加締め治具３０で加締め変形させる簡単な作業により、各コンミュテータ片１９の他端部１９ｃの一対の電極接続面１９ｄ，１９ｄにリングバリスタ２０の各電極２１を簡単かつ確実に電気的に接続することができる。その結果、コンミュテータ１８に接続されたリングバリスタ２０により電気ノイズを吸収することができる。
【００２０】
尚、前記実施形態によれば、円筒状の支持部材の他端部の端面の一部に加締め部を等間隔毎に３箇所形成したが、円筒状の支持部材の他端部の端面の周り（全周）に加締め部を形成して各コンミュテータ片の他端部と支持部材の加締め部との間でリングバリスタを固定するようにしても良い。
【図面の簡単な説明】
【００２１】
【図１】本発明の一実施形態のモータを一部断面で示す側面図である。
【図２】（ａ）は上記モータに用いられるコンミュテータ及び支持部材の断面図、（ｂ）は同コンミュテータ及び支持部材の正面図である。
【図３】上記支持部材の一方の端部にリングバリスタを嵌合する前の状態を示す断面図である。
【図４】上記支持部材の一方の端部にリングバリスタを嵌合した状態を示す断面図である。
【図５】上記支持部材の一方の端部を加締めてリングバリスタを固定する前の状態を示す断面図である。
【図６】上記支持部材の一方の端部を加締める途中の状態を示す断面図である。
【図７】（ａ）は上記支持部材の一方の端部を加締めてリングバリスタを固定した状態を示す断面図、（ｂ）は同リングバリスタの固定状態を示す正面図である。
【図８】従来のモータの要部の断面図である。
【図９】上記従来のモータに用いられるコンミュテータにリングバリスタを装着する前の状態を示す斜視図である。
【図１０】上記従来のモータのリングバリスタを装着した状態を示す斜視図である。
【符号の説明】
【００２２】
１０  モータ
１５ｃ  アーマチュアコイル
１５ｄ  アーマチュアコイルの端部
１７  円筒状の支持部材
１７ｃ  他端部（一方の端部）
１７ｅ  加締め部
１８  コンミュテータ
１９  コンミュテータ片
１９ａ  一端部
１９ｂ  コンミュテータライザ
１９ｃ  他端部
１９ｄ，１９ｄ  一対の電極接続面
２０  リングバリスタ
２１  電極
【図１】
2006174673.tif 000003
【図２】
2006174673.tif 000004
【図３】
2006174673.tif 000005
【図４】
2006174673.tif 000006
【図５】
2006174673.tif 000007
【図６】
2006174673.tif 000008
【図７】
2006174673.tif 000009
【図８】
2006174673.tif 000010
【図９】
2006174673.tif 000011
【図１０】
2006174673.tif 000012